【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
相互に左右の視差を有するインタレース信号である第１および第２の入力映像信号のうちの少なくとも一方について、その入力映像信号が、ビデオ信号由来のインタレース信号およびプルダウン変換されたフィルム信号由来のインタレース信号のうちのいずれかであるかをフィールド単位で判定する判定処理を行う判定部と、
前記第１および第２の入力映像信号に対してそれぞれ、ビデオ信号用の補間処理またはフィルム信号用のプルダウン逆変換処理を用いたデインタレース処理をフィールド単位で行うことにより、相互に左右の視差を有するプログレッシブ信号である第１および第２の出力映像信号を生成するデインタレース処理部と、
前記第１の入力映像信号に対して適用されるデインタレース処理と、前記第２の入力映像信号に対して適用されるデインタレース処理とが、フィールド単位で同期して同一タイプの処理を用いたものとなるように、前記判定部による判定結果に基づいて前記デインタレース処理部に対して同期制御を行う同期制御部と
を備えた映像信号処理装置。
【請求項２】
前記判定部は、前記第１および第２の入力映像信号の双方について個別に前記判定処理を行い、
前記同期制御部は、
前記第１および第２の入力映像信号の双方が前記プルダウン変換されたフィルム信号由来のインタレース信号であると判定されたときにのみ、前記第１および第２の入力映像信号の双方に対して前記プルダウン逆変換処理を用いたデインタレース処理が適用されると共に、
それ以外の判定結果のときには、前記第１および第２の入力映像信号の双方に対して前記補間処理を用いたデインタレース処理が適用されるように、前記同期制御を行う
請求項１に記載の映像信号処理装置。
【請求項３】
前記判定部は、前記第１および第２の入力映像信号の双方について個別に前記判定処理を行い、
前記同期制御部は、
前記第１および第２の入力映像信号のうちの少なくとも一方が前記プルダウン変換されたフィルム信号由来のインタレース信号であると判定されたときに、前記第１および第２の入力映像信号の双方に対して前記プルダウン逆変換処理を用いたデインタレース処理が適用されると共に、
前記第１および第２の入力映像信号の双方が前記ビデオ信号由来のインタレース信号であると判定されたときにのみ、前記第１および第２の入力映像信号の双方に対して前記補間処理を用いたデインタレース処理が適用されるように、前記同期制御を行う
請求項１に記載の映像信号処理装置。
【請求項４】
前記判定部は、前記第１および第２の入力映像信号のうちの一方の入力映像信号のみについて前記判定処理を行い、
前記同期制御部は、
前記一方の入力映像信号が前記プルダウン変換されたフィルム信号由来のインタレース信号であると判定されたときには、前記第１および第２の入力映像信号の双方に対して前記プルダウン逆変換処理を用いたデインタレース処理が適用されると共に、
前記一方の入力映像信号が前記ビデオ信号由来のインタレース信号であると判定されたときには、前記第１および第２の入力映像信号の双方に対して前記補間処理を用いたデインタレース処理が適用されるように、前記同期制御を行う
請求項１に記載の映像信号処理装置。
【請求項５】
前記同期制御部は、
前記第１および第２の入力映像信号に対してそれぞれ、
前記ビデオ信号由来のインタレース信号から、前記プルダウン変換されたフィルム信号由来のインタレース信号への切り換わり時である第１のタイミングと、
前記プルダウン変換されたフィルム信号由来のインタレース信号から、前記ビデオ信号由来のインタレース信号への切り換わり時である第２のタイミングと
の両方において、前記同期制御を行う
請求項１ないし請求項４のいずれか１項に記載の映像信号処理装置。
【請求項６】
前記同期制御部は、前記第１および第２のタイミングにおいて、前記同期制御下におけるデインタレース処理のタイプを任意に切り換え可能に構成されている
請求項５に記載の映像信号処理装置。
【請求項７】
前記プルダウン変換されたフィルム信号由来のインタレース信号が、２４Ｐ、２５Ｐ、３０Ｐ、１２Ｐまたは８Ｐのプログレッシブ信号をプルダウン変換することにより得られたインタレース信号である
請求項１ないし請求項６のいずれか１項に記載の映像信号処理装置。
【請求項８】
相互に左右の視差を有するインタレース信号である第１および第２の入力映像信号のうちの少なくとも一方について、その入力映像信号が、ビデオ信号由来のインタレース信号およびプルダウン変換されたフィルム信号由来のインタレース信号のうちのいずれかであるかをフィールド単位で判定する判定処理を行う判定部と、
前記第１および第２の入力映像信号に対してそれぞれ、ビデオ信号用の補間処理またはフィルム信号用のプルダウン逆変換処理を用いたデインタレース処理をフィールド単位で行うことにより、相互に左右の視差を有するプログレッシブ信号である第１および第２の出力映像信号を生成するデインタレース処理部と、
前記第１の入力映像信号に対して適用されるデインタレース処理と、前記第２の入力映像信号に対して適用されるデインタレース処理とが、フィールド単位で同期して同一タイプの処理を用いたものとなるように、前記判定部による判定結果に基づいて前記デインタレース処理部に対して同期制御を行う同期制御部と、
前記第１の出力映像信号に基づく左視用の映像と、前記第２の出力映像信号に基づく右視用の映像とを、時分割で交互に表示する表示部と
を備えた立体映像表示装置。
【請求項９】
相互に左右の視差を有するインタレース信号である第１および第２の入力映像信号を送信する送信装置と、
前記送信装置により送信された第１および第２の入力映像信号を受信すると共に、これらの第１および第２の入力映像信号に基づいて立体映像表示を行う立体映像表示装置と
を備え、
前記送信装置は、
前記第１の入力映像信号と前記第２の入力映像信号とを、時分割により前記立体映像表示装置へ送信する並列直列変換部を有し、
前記立体映像表示装置は、
前記送信装置から受信した入力映像信号を、前記第１の入力映像信号と前記第２の入力映像信号とに分離する直列並列変換部と、
前記直列並列変換部から供給される第１および第２の入力映像信号のうちの少なくとも一方について、その入力映像信号が、ビデオ信号由来のインタレース信号およびプルダウン変換されたフィルム信号由来のインタレース信号のうちのいずれかであるかをフィールド単位で判定する判定処理を行う判定部と、
前記直列並列変換部から供給される第１および第２の入力映像信号に対してそれぞれ、ビデオ信号用の補間処理またはフィルム信号用のプルダウン逆変換処理を用いたデインタレース処理をフィールド単位で行うことにより、相互に左右の視差を有するプログレッシブ信号である第１および第２の出力映像信号を生成するデインタレース処理部と、
前記第１の入力映像信号に対して適用されるデインタレース処理と、前記第２の入力映像信号に対して適用されるデインタレース処理とが、フィールド単位で同期して同一タイプの処理を用いたものとなるように、前記判定部による判定結果に基づいて前記デインタレース処理部に対して同期制御を行う同期制御部と、
前記第１の出力映像信号に基づく左視用の映像と、前記第２の出力映像信号に基づく右視用の映像とを、時分割で交互に表示する表示部と
を有する
立体映像伝送表示システム。
【請求項１０】
前記並列直列変換部は、前記第１および第２の入力映像信号のそれぞれについて、第１および第２のフィールドの映像信号を時間軸に沿って連続させつつ、前記第１の入力映像信号と前記第２の入力映像信号とを時分割により交互に送信する
請求項９に記載の立体映像伝送表示システム。
【請求項１１】
相互に左右の視差を有するインタレース信号である第１および第２の入力映像信号のうちの少なくとも一方について、その入力映像信号が、ビデオ信号由来のインタレース信号およびプルダウン変換されたフィルム信号由来のインタレース信号のうちのいずれかであるかをフィールド単位で判定する判定ステップと、
前記第１および第２の入力映像信号に対してそれぞれ、ビデオ信号用の補間処理またはフィルム信号用のプルダウン逆変換処理を用いたデインタレース処理をフィールド単位で行うことにより、相互に左右の視差を有するプログレッシブ信号である第１および第２の出力映像信号を生成するデインタレース処理ステップと、
前記第１の入力映像信号に対して適用されるデインタレース処理と、前記第２の入力映像信号に対して適用されるデインタレース処理とが、フィールド単位で同期して同一タイプの処理を用いたものとなるように、前記判定ステップにおける判定結果に基づいて同期制御を行う同期制御ステップと
を含む映像信号処理方法。
【手続補正２】
【補正対象書類名】明細書
【補正対象項目名】０００８
【補正方法】変更
【補正の内容】
【０００８】
本発明の映像信号処理装置は、相互に左右の視差を有するインタレース信号である第１および第２の入力映像信号のうちの少なくとも一方について、その入力映像信号が、ビデオ信号由来のインタレース信号およびプルダウン変換されたフィルム信号由来のインタレース信号のうちのいずれかであるかをフィールド単位で判定する判定処理を行う判定部と、第１および第２の入力映像信号に対してそれぞれ、ビデオ信号用の補間処理またはフィルム信号用のプルダウン逆変換処理を用いたデインタレース処理をフィールド単位で行うことにより、相互に左右の視差を有するプログレッシブ信号である第１および第２の出力映像信号を生成するデインタレース処理部と、第１の入力映像信号に対して適用されるデインタレース処理と、第２の入力映像信号に対して適用されるデインタレース処理とが、フィールド単位で同期して同一タイプの処理を用いたものとなるように、判定部による判定結果に基づいてデインタレース処理部に対して同期制御を行う同期制御部とを備えたものである。
【手続補正３】
【補正対象書類名】明細書
【補正対象項目名】０００９
【補正方法】変更
【補正の内容】
【０００９】
本発明の映像信号処理方法は、相互に左右の視差を有するインタレース信号である第１および第２の入力映像信号のうちの少なくとも一方について、その入力映像信号が、ビデオ信号由来のインタレース信号およびプルダウン変換されたフィルム信号由来のインタレース信号のうちのいずれかであるかをフィールド単位で判定する判定ステップと、第１および第２の入力映像信号に対してそれぞれ、ビデオ信号用の補間処理またはフィルム信号用のプルダウン逆変換処理を用いたデインタレース処理をフィールド単位で行うことにより、相互に左右の視差を有するプログレッシブ信号である第１および第２の出力映像信号を生成するデインタレース処理ステップと、第１の入力映像信号に対して適用されるデインタレース処理と、第２の入力映像信号に対して適用されるデインタレース処理とが、フィールド単位で同期して同一タイプの処理を用いたものとなるように、判定ステップにおける判定結果に基づいて同期制御を行う同期制御ステップとを含むようにしたものである。
【手続補正４】
【補正対象書類名】明細書
【補正対象項目名】００１１
【補正方法】変更
【補正の内容】
【００１１】
本発明の立体映像伝送表示システムは、相互に左右の視差を有するインタレース信号である第１および第２の入力映像信号を送信する送信装置と、この送信装置により送信された第１および第２の入力映像信号を受信すると共に、これらの第１および第２の入力映像信号に基づいて立体映像表示を行う上記立体映像表示装置とを備え、上記送信装置が、第１の入力映像信号と第２の入力映像信号とを時分割により立体映像表示装置へ送信する並列直列変換部を有するようにしたものである。
【手続補正５】
【補正対象書類名】明細書
【補正対象項目名】００１２
【補正方法】変更
【補正の内容】
【００１２】
本発明の映像信号処理装置、映像信号処理方法、立体映像表示装置および立体映像伝送表示システムでは、上記第１および第２の入力映像信号のうちの少なくとも一方について、その入力映像信号が、ビデオ信号由来のインタレース信号およびプルダウン変換されたフィルム信号由来のインタレース信号のうちのいずれかであるかが、フィールド単位で判定される。また、第１および第２の入力映像信号に対してそれぞれ、ビデオ信号用の補間処理またはフィルム信号用のプルダウン逆変換処理を用いたデインタレース処理がフィールド単位で行われることにより、上記第１および第２の出力映像信号が生成される。このとき、上記の判定結果に基づいて、第１の入力映像信号に対して適用されるデインタレース処理と第２の入力映像信号に対して適用されるデインタレース処理とが、フィールド単位で同期して同一タイプの処理を用いたものとなるように、デインタレース処理に対する同期制御が行われる。これにより、上記第１の出力映像信号に基づく左視用の映像と上記第２の出力映像信号に基づく右視用の映像とにおいて、映像の質感の相違が低減される（好ましくは回避される）。
【手続補正６】
【補正対象書類名】明細書
【補正対象項目名】００１３
【補正方法】変更
【補正の内容】
【００１３】
本発明の映像信号処理装置、映像信号処理方法、立体映像表示装置および立体映像伝送表示システムによれば、上記第１および第２の入力映像信号のうちの少なくとも一方について上記判定処理を行うと共に、その判定結果に基づいて、第１の入力映像信号に対して適用されるデインタレース処理と第２の入力映像信号に対して適用されるデインタレース処理とが、フィールド単位で同期して同一タイプの処理を用いたものとなるように、デインタレース処理に対する同期制御を行うようにしたので、上記第１の出力映像信号に基づく左視用の映像と上記第２の出力映像信号に基づく右視用の映像とにおいて、映像の質感の相違を低減もしくは回避することができ、立体映像を視認する際の画質の違和感を低減することが可能となる。
【手続補正７】
【補正対象書類名】明細書
【補正対象項目名】００２６
【補正方法】変更
【補正の内容】
【００２６】
プルダウン検出部４２Ｌは、フィールドメモリ４１２Ｌ，４１３Ｌ，４１４Ｌから出力される、左視用における現在、過去１および過去２の各映像信号に基づいて所定のプルダウン検出処理を行い、その検出結果信号ＪＬを同期制御部４３へ出力するものである。プルダウン検出部４２Ｒは、フィールドメモリ４１２Ｒ，４１３Ｒ，４１４Ｒから出力される、右視用における現在、過去１および過去２の各映像信号に基づいて所定のプルダウン検出処理を行い、その検出結果信号ＪＲを同期制御部４３へ出力するものである。具体的には、これらプルダウン検出部４２Ｌ，４２Ｒは、上記の各フィールド分の映像信号から、例えば３−２プルダウンや２−２プルダウン等を検出することにより、処理対象のフィールドが、フィルム映像由来のフィールドであるか否かを検出する。言い換えると、処理対象の映像信号が、ビデオ信号からなるインタレース信号と、プルダウン変換されたフィルム信号からなるインタレース信号とのうちのいずれかであるかを、フィールド単位で判定する判定処理を行っている。このような検出処理（判定処理）の際には、プルダウン変換によってインタレース信号に変換された部分のフィールドである場合、同じフレームに由来するフィールドが隣接フィールドに必ず存在することから、それを利用して行うようになっている。具体的には、例えば、フィールド間の動き（フィールド間の相関）の有無に基づいてフィールドのシーケンスを検出することによって、３−２プルダウンや２−２プルダウン等を検出することが可能となっている。
【手続補正８】
【補正対象書類名】明細書
【補正対象項目名】００２９
【補正方法】変更
【補正の内容】
【００２９】
同期制御部４３は、デインタレース処理部４４Ｌで適用される左視用のデインタレース処理と、デインタレース処理部４４Ｒで適用される右視用のデインタレース処理とが、フィールド単位で同期して同一の処理を用いたものとなるように同期制御を行うものである。具体的には、プルダウン検出部４２Ｌ，４２Ｒから出力される検出結果信号ＪＬ，ＪＲに基づいて、左視用，右視用で同じ種類のデインタレース処理（ビデオ信号用の補間処理またはフィルム信号用のプルダウン逆変換処理によるもの）がなされるように制御している。このような同期制御は、デインタレース処理部４４Ｌ，４４Ｒに対して同期制御信号ＳＬ，ＳＲがそれぞれ出力されることにより、実現されている。なお、この同期制御部４３の詳細動作については後述する。
【手続補正９】
【補正対象書類名】明細書
【補正対象項目名】００４６
【補正方法】変更
【補正の内容】
【００４６】
このとき、前述したビデオ信号の場合と同様に、パラシリ変換部２４は、第１および第２のフィールドのフィルム信号を時間軸に沿って連続させつつ、左視用のフィルム信号ＦＬｉと右視用のフィルム信号ＦＲｉとを時分割により交互に送信している。具体的には、伝送データＤ０ｉ（図５（Ｅ））では、「ＬＡ−１ｓｔ interlace」→「ＬＡ−２ｎｄ interlace」→「ＲＡ−１ｓｔ interlace」→「ＲＡ−２ｎｄ interlace」→「ＬＢ−１ｓｔ interlace」→「ＬＢ−２ｎｄ interlace」→…の順に伝送されている。ただし、ここでは伝送データＤ０ｉは２−３プルダウン変換により生成されたインタレース信号であることから、必ずしも同じ原フレームの映像信号の組とはなっていない。例えば、図中の灰色で示したように、「ＬＢ−１ｓｔ interlace」→「ＬＢ−２ｎｄ interlace」→…→「ＬＢ−１ｓｔ interlace」→「ＬＣ−２ｎｄ interlace」の順に伝送されている。
【手続補正１０】
【補正対象書類名】明細書
【補正対象項目名】００４７
【補正方法】変更
【補正の内容】
【００４７】
次に、表示装置４内のシリパラ分離部４１１では、上記ビデオ信号の場合と同様に、伝送データＤ０ｉを受信してシリアル／パラレル変換を行い、左視用，右視用の映像信号をフィールドメモリ４１２Ｌ，４１２Ｒ等に供給する。そして、プルダウン検出部４２Ｌ，４２Ｒにおいて、処理対象のフィールドがフィルム映像由来のフィールドであるか否かを検出する。ここでは、処理対象のフィールドが、フィルム映像由来のフィールドである（フィルム信号からなるインタレース信号である）と判定されることになる。
【手続補正１１】
【補正対象書類名】明細書
【補正対象項目名】００５０
【補正方法】変更
【補正の内容】
【００５０】
一方、図７（Ａ）〜（Ｃ）では、３０Ｐ素材の映像信号ＦＬｐ，ＦＲｐに対して２−２プルダウン変換処理を行うことにより、６０Ｉ素材の映像信号ＦＬｉ，ＦＲｉを生成している。また、この６０Ｉ素材の映像信号ＦＬｉ，ＦＲｉに対して２−２プルダウン逆変換処理を行うことにより、６０Ｐ素材の映像信号Ｄ２Ｌｐ，Ｄ２Ｒｐを生成している。
【手続補正１２】
【補正対象書類名】明細書
【補正対象項目名】００５６
【補正方法】変更
【補正の内容】
【００５６】
一方、図５〜図７に示したフィルム信号用のプルダウン逆変換を用いたデインタレース処理では、例えば２−３プルダウンの場合を例に挙げると、元々同じフレームであった映像が、２または３フィールドに振り分けられていることになる。したがって、２−３パターンや２−２パターン等のプルダウンのシーケンスが分かれば、同じフレームから生成された隣接フィールド間において、映像の静止・動きに関係なくフィールド内挿補間処理を行うことにより、プログレッシブ信号に変換することができる。ここで、このフィールド内挿補間処理は、補間方法は異なるが、図４に示したフィールド間補間処理と同様に、前フィールドの信号ＰＡまたは後フィールドの信号ＰＢを新しい画素を表す信号ＰＱとすることによって、新しい走査線を生成するものである。このため、このようなフィルム信号用のプルダウン逆変換を用いたデインタレース処理では、折り返し歪みが少なく解像度も高い良好な変換画質が得られる。
【手続補正１３】
【補正対象書類名】明細書
【補正対象項目名】００６１
【補正方法】変更
【補正の内容】
【００６１】
これに対して、本実施の形態の立体映像伝送表示システム１では、同期制御部４３において、プルダウン検出部４２Ｌ，４２Ｒから出力される検出結果信号ＪＬ，ＪＲに基づいて、デインタレース処理部４４Ｌ，４４Ｒに対して同期制御を行っている。具体的には、デインタレース処理部４４Ｌで適用される左視用のデインタレース処理と、デインタレース処理部４４Ｒで適用される右視用のデインタレース処理とが、フィールド単位で同期して同一の処理を用いたものとなるように同期制御を行う。なお、ここでいう同じ種類のデインタレース処理とは、前述したビデオ信号用の補間処理またはフィルム信号用のプルダウン逆変換処理を用いたデインタレース処理のことである。
【手続補正１４】
【補正対象書類名】図面
【補正対象項目名】図１
【補正方法】変更
【補正の内容】
【図１】
2010226243.tif 000001
【手続補正１５】
【補正対象書類名】図面
【補正対象項目名】図９
【補正方法】変更
【補正の内容】
【図９】
2010226243.tif 000002
【手続補正１６】
【補正対象書類名】図面
【補正対象項目名】図１４
【補正方法】変更
【補正の内容】
【図１４】
2010226243.tif 000003
【手続補正１７】
【補正対象書類名】図面
【補正対象項目名】図１５
【補正方法】変更
【補正の内容】
【図１５】
2010226243.tif 000004